(57)【要約】【課題】潮の流れを正確に読み取り、コマセを釣り餌の方向に沿って投入することができ、遠投性及び水中での安定性に優れ、且つ容易に魚信を捉えることができる釣り用浮きを提供する。【解決手段】本発明に係る浮き１は浮力を与えるための大径部６を形成する本体部３の上方に水面より突出させる細径部よりなる先端部２を設け、上記本体部３の下部に脚部を構成する棒体部４を設けた構成となっている。該棒体部４の下端側の錘７を収容する部分として、外径を膨らませてなる潮受け部８を形成している。さらに棒体部４の下端より本体部３を貫き先端部２側に至る深さまで芯金１１を浮きの中心に挿入固定し、錘７を該芯金１１に外装せしめて収容した点に特徴がある。【選択図】　　　　　図２
2004065189.tif 000002
【特許請求の範囲】
【請求項１】
浮力を与えるための大径部（６）を形成する本体部（３）の上方に水面より突出させる細径部よりなる先端部（２）を設け、上記本体部（３）の下部に脚部を構成する棒体部（４）を設け、該棒体部（４）の下端に錘（７）を付設した浮きにおいて、上記棒体部（４）の下端側内部に錘（７）を収容せしめてなる釣り用浮き。
【請求項２】
棒体部（４）の下端側の錘（７）を収容する部分の外径を膨らませてなる潮受け部（８）とした請求項１の釣り用浮き。
【請求項３】
棒体部（４）の下端にヨリ戻し（１２）を取付け、ヨリ戻し（１２）と錘（７）との間に錘（７）を密封してその固定を補強する補強固定部（１４）を付着形成した請求項１又は２の釣り用浮き。
【請求項４】
棒体部（４）の下端より本体部（３）に至るように芯金（１１）を浮きの中心に挿入固定し、錘（７）を該芯金（１１）に外装せしめて収容するとともにヨリ戻し（１２）を上記芯金（１１）の下端に付設した請求項１，２又は３の釣り用浮き。
【請求項５】
芯金（１１）を本体部（３）を貫き先端部（２）側に至る深さまで挿入した請求項４の釣り用浮き。
【発明の詳細な説明】
【０００１】
【発明の属する技術分野】
この発明は魚釣り用の浮きに関するもので、遠投性，水中での安定性に優れ、且つ容易に魚信を捉えることができる釣り用浮きに関する。
【０００２】
【従来の技術】
従来、向い風に強く遠方のポイントまで的確に飛ばすことができ、さらに魚信の取り易い浮きとして、例えば特開平８−８０１４５号に示されるナス型の浮きが提案されている。
またこの浮きはナス型の浮き本体部の下方の脚を構成する棒体部から本体部下端中心に芯金を差込み、棒体部の下端外周に錘が外装して取付けられている。
【０００３】
【発明が解決しようとする課題】
しかし、上記の従来技術は、遠投に際しての落下時に先行落下する錘部分が岩等に接衝して破損，変形して脱落したり、ハリスのからみ等を生じる欠点があるほか、錘である鉛が露出しているために腐食したり、鉛害問題を生じる等の問題がある。
また錘は木製棒状体下端に被せる構造であるため型成形する必要があるため高価となり、棒体部との固定性も悪く、これを接着剤等で固着しても水分の侵入や鉛の腐食等によって外れ易い等の欠点がある。
この発明は、これらの欠点を解決する浮きを提供することを目的としている。
【０００４】
【課題を解決するための手段】
上記課題を解決するための本発明の釣り用浮きは、第１に、浮力を与えるための大径部６を形成する本体部３の上方に水面より突出させる細径部よりなる先端部２を設け、上記本体部３の下部に脚部を構成する棒体部４を設け、該棒体部４の下端に錘７を付設した浮きにおいて、上記棒体部４の下端側内部に錘７を収容せしめてなることを特徴としている。
【０００５】
第２に、棒体部４の下端側の錘７を収容する部分の外径を膨らませてなる潮受け部８としたことを特徴としている。
【０００６】
第３に、棒体部４の下端にヨリ戻し１２を取付け、ヨリ戻し１２と錘７との間に錘７を密封してその固定を補強する補強固定部１４を付着形成したことを特徴としている。
【０００７】
第４に、棒体部４の下端より本体部３に至るように芯金１１を浮きの中心に挿入固定し、錘７を該芯金１１に外装せしめて収容するとともにヨリ戻し１２を上記芯金１１の下端に付設したことを特徴としている。
【０００８】
第５に、芯金１１を本体部３を貫き先端部２側に至る深さまで挿入したことを特徴としている。
【０００９】
【発明の実施の形態】
以下本発明の実施形態を図面に基づいて説明すると、図１は本発明に係る全体正面図であり、主として水面近くを回遊する上物と呼ばれる魚を釣るための足長管付浮きを例に説明する。浮き１は細径状の先端部２，本体部３，脚部を構成する棒体部４より構成されている。本体部３には浮力を与えるための大径部６（喫水部）が形成されており、先端部２から大径部６にかけてなだらかに湾曲したテーパー面状に形成され、且つ大径部６から棒体部４にかけても同様になだらかに湾曲したテーパー面状に形成されている。
【００１０】
また棒体部４の下端側内部に錘７を収容し、潮の流れの影響を受け易くするため、外径を紡錘径状に膨らませた潮受け部８が形成されている。先端部２には遠方での視認性を良くするために赤や黄等の蛍光色により塗装されており、該先端部２の上端には水中への侵入時に、岩や岩壁等に衝突して浮きが破壊されるのを防止するためにキャップ９が嵌着されている。なお本発明の浮き１の重心は、浮き本体の中心より上方位置になるように設計されているので、飛行時には先端部２が先行して飛行する。
【００１１】
さらに浮き１の内部にはステンレス等により形成された芯金１１が棒体部４の下端より本体部３を貫き先端部２に至る深さまで挿入固定されており、また該芯金１１の下端側に錘７が外装されて棒体部４の下端内部に収容固定されている。該芯金の下端にはかしめ，ロッド，サルカンにより構成されるヨリ戻し１２が付設され、該ヨリ戻し１２を介して環１３が回動可能に設けられている。該ヨリ戻し１２により浮き１のねじれを吸収し仕掛けの絡みを防止することができる。
【００１２】
芯金１１は浮き１の補強という役割のみならず、図２に示すように芯金１１が棒体部４の下端から本体部３を貫き先端部２まで挿入されているので、水中での安定性が向上するとともに、その安定性の向上により潮の流れを正確に読み取り、コマセを釣り餌の方向に沿って投入することができる。また風により浮きが先行して移動することがないので、魚にハリスや針を発見されることがなくなるという利点がある。更に本体部によって生じる上端側の強過ぎる浮力が低減方向に調整されるので本体部の遠方からの視認性と遠投時の正確な方向性を維持しながらも、魚の僅かな引きによる魚信にも敏感に反応し、魚信の認知がより正確に行われる。
【００１３】
その他芯金１１の働きとしては、空中での安定性によりぶれることなく飛行することができるので、従来に比して浮きの飛行距離を伸ばすことができるとともに、重心位置の関係により先端部２が先行し安定して飛行するので、ポイントへの投入時に仕掛けの絡みを防止することができる。また大径部６上方のテーパー面により飛行中の空気抵抗を最小限にしながら浮き１の飛行距離を伸ばすことができる。
【００１４】
また錘７は棒体部４の下端内部に収容され必要に応じ接着剤等により固定されており、該錘７の下端側には錘７の密封性や固定を高め、棒体部４下端の強度を補強するためにエナメル樹脂等による補強固定部１４が設けられている。上記錘７を棒体部４の下端内部に収容したので、浮き１と錘７の一体性が増すことにより固定性を向上させることができ、遠投時の岩場等への接衝により、鉛等を用いた錘の部分の損傷，変形やこれらによる外れが生じないほか、海水と鉛の表面が接することによる腐食の発生及び腐食による固定外れを回避できるとともに、鉛害の発生を防ぐことができる。
【００１５】
錘７は棒体部４の下端部に挿入する構成であるので、外装して取付けるような精度の高い加工や型成形して錘を成形する必要がない。また棒体部４下端を膨らませて潮受け部８としたので錘７の加工精度や寸法，形状等の自由度が高く、加工コストも低減できるほか、潮受け部において水面下の潮の流れを読み取ることができる。
【００１６】
上述のように浮き１は先端部２側より着水するので、大径部６の上方に形成されたテーパー面により水中投入時の着水音及び水面の波紋を小さくすることができ、水面に浮上する際にも該テーパー面により水を上手く回避しながら左右にぶれることなく浮上することができる。また浮遊時には大径部６下方位置に形成されたテーパー面により、波等による水の抵抗をかわしながらその直立姿勢を保つことができる。
【００１７】
さらに棒体部３の下端内部に錘７を収容すること及び芯金１１を棒体部４の下端より本体部３を貫き先端部２に至る深さまで挿入することにより、その相乗効果として遠投性が向上するとともに、飛行時には浮き１本体が左右にぶれることなく飛行することができるので、水中への投入の際に安定良く投入することができ釣りのポイントを正確に捉えることができる。
【００１８】
本発明では先端部２，本体部３，棒体部４は１本の木材を切削加工することによって製作したが、先端部２，本体部３，棒体部４を別々に成形後、互いに接着しても良く、その材質も桐材に限らず、バルサ材，硬質軽量プラスチック等の材質を用いることもできる。また棒体部４下端内部に収容された錘７は、対象魚の種類や釣法に応じて種々の重さの錘を内挿し事前に製作することもできる。
【００１９】
【発明の効果】
以上のように構成される本発明の浮きは、棒体部の下端内部に錘を収容したので、遠投時の岩場等への接衝により、鉛等を用いた錘部分の損傷，変形やこれらによる外れ等が生じないほか、海水と表面が接することによる腐食の発生及び腐食による固定外れ等が防止できる利点がある。
また錘は棒体部の下端部に挿入すればよいので、外に被せて嵌合させる場合のような精度の高い加工も必要ないほか、棒体部下端を膨らませて潮受け部としたので錘の加工精度や寸法，形状等の自由度が高く、加工コストも低減できるほか、潮受け部において水面下の潮の流れを受け易い等の利点がある。
【００２０】
さらに、錘の下端側とヨリ戻しとの間に補強固定部を付着させて設けたので，錘の密封性，固定が高まり且つこの部分の強度も補強される利点がある。
その他芯金が本体部まで至りあるいはさらに本体部を貫いて先端部側に達する深さまで挿入されているので、単に棒体部が補強されるだけでなく、本体部によって生じる上端側の強過ぎる浮力が低減方向に調整されるので、本体部の遠方からの視認性と遠投時の正確な方向性を維持しながらも、魚の僅かな引きによる魚信にも敏感に反応し、魚信の認知がより正確に行われるという効果がある。
【００２１】
上記浮力調整は視認性や遠投時の方向性確保のために求められる形状や体積によって生じる強い浮力を、着水後の浮きの作用の安定性や小さな力（アタリや潮流）への敏感な反応性に適合する浮力に調整するもので、この調整によりハリスの向き（浮きの向き）による潮流の方向性やハリス先端の餌の位置の視認が容易になり、コマセの投入位置判断を助けることにもなる。
【図面の簡単な説明】
【図１】本発明の浮きの全体を示す正面図である。
【図２】本発明の浮きの内部構造を示す正面断面図である。
【符号の説明】
１　　浮き
２　　先端部
３　　本体部
４　　棒体部
６　　大径部（喫水部）
７　　錘
８　　潮受け部
９　　キャップ
１１　芯金
１２　ヨリ戻し
１３　環
１４　補強固定部
【図１】
2004065189.tif 000003
【図２】
2004065189.tif 000004